(57)【要約】      （修正有）【課題】コーナー部分の組み立てが容易なカウンターを提供することにある。【解決手段】カウンターのコーナー部分Ａの前面が、アール面に形成されたパネルで覆われたカウンターにおいて、このパネルを縦分割された部分パネル８００で構成すると共に、部分パネル８００の左右端に設けたブラケット８５０を、アール面の両端に立設された第一支柱１０ｘと部分パネル８００同士の合わせ位置に立設された第二支柱１０ｙとに係止させるように構成する。これにより、部分パネル８００を固定させる２本の第一支柱１０ｘの取り付け面の角度関係及び部分パネル８００の左右端のブラケット８５０同士の角度関係を４５度とし、左右端のブラケット８５０を２本の支柱に差し込んで係止させる作業を実現可能とする。【選択図】図９
2010179124.tif 000002
【特許請求の範囲】
【請求項１】
カウンターのコーナー部分の前面が、アール面に形成されたパネルで覆われたカウンターにおいて、
前記パネルが、縦分割された部分パネルで構成されると共に、
前記部分パネルの左右端に設けられたブラケットが、前記アール面の両端に立設された第一支柱と前記部分パネル同士の合わせ位置に立設された第二支柱とに係止させたことを特徴とするカウンター。
【請求項２】
第一支柱と第二支柱との各上下端には水平部材が取り付けられてコ字型を成す第一枠材と第二枠材とを形成すると共に、
２つの前記第一枠材に掛け渡したクロス材で、前記第二枠材を支持したことを特徴とする請求項１記載のカウンター。
【発明の詳細な説明】
【技術分野】
【０００１】
この発明は、レジカウンターなどを構成するカウンターであって、カウンターの長手折れ曲がったコーナー部分を有するカウンターの改良に関する。
【背景技術】
【０００２】
たとえば、スーパーやコンビニのレジカウンターなどはある程度の長さを有しているのが通常である（特許文献１参照）。カウンターにはその天板部分が作業エリアとなる為に、この天板にある程度の長さが元々必要なのであり、またカウンターには、このカウンターで囲んだスペースを従業員スペースとして区切る役目もしており、そのためにも何メートルがの長さが必要になっている。
【０００３】
この様なカウンターは完成品のままで出荷するには大き過ぎて無理が伴う場合が多く、その為に箱状のカウンターユニットで出荷し、現地でこれらを横に連結してカウンターに構成されているものが主流である。カウンターユニットを何個か連結したら、連結されたユニットの上に、これらユニットを覆う長手の一枚モノの天板が取り付けられるのである。ただ廉価品の場合にはカウンターユニットごとに最初から天板のついたものもあり、これらの天板はユニットごとに切れ目ができることとなる。
またこの様なユニットを組み立てる方式の場合、カウンターの長さ方向が直角に折れ曲がっているコーナー部分には、コーナー用のユニット（コーナーユニット）が連結される。コーナーの形状はアール状、直角状、コーナーの角を斜めに切り落としたような形状など様々であり、従って、天板やコーナーユニットの前面のパネルは、これらコーナーの形状に対応した形状になっている。例えばコーナーがアール形状なら、パネルもアール面になっている。
【０００４】
これらカウンターユニットは、メーカーが出荷前に組み立てておき、箱状のカウンターユニットをトラックで輸送するのであり、現地では連結などの簡易な作業だけをすればよい様になっている。この様に現地作業の軽減を図る理由は、たとえばコンビニの新店舗建設現場では、カウンターの納入業者に対し、「入荷は道の混まない朝７時、組み立て設置完了は何時まで」などの制約があり、そのために現地での組立時間の省略や短縮が必要となるからである。また現地への配送は輸送会社に委託するのであるが、輸送会社は組み立て業務までは行わないので、別途、組立要員を派遣している現状がある。この様な場合、その組み立て要員の削減は大きな問題であり、現地での組み立て作業が少ないほど、要員派遣の負担も軽減されるのである。
【０００５】
ただカウンターが量産されるものであったり、大量納品されるものの場合には、組み立て状態で在庫しておくと在庫スペースが広大になってしまう。よって、このような場合には組み立て前の部品状態で在庫しておき、現地で組み立てるノックダウン方式になっている。つまり在庫の時には、これを図１５〜１６に示すように、カウンター３０００を構成する枠材１００や、この枠材１００に取り付ける天板４０、パネル３５、パネル３５の下方に取り付ける巾木３７などを部品状態で在庫し、この在庫部品を出荷して、現地で組み立てるノックダウン方式となるのである。
【０００６】
ノックダウンの場合は、枠材１００や枠材１００同士を連結する連結材３１，３２，３３など各種部品の共通化を図り、部品の種類数を減らす工夫をしている。枠材１００は、図１７に示すように、角パイプによる支柱１０と、この支柱１０の上下端から各々水平に延長させた水平部材２０，２０によりコ字型の枠材１００に形成され、この枠材１００を図１６に示した様に、上継ぎ３１、下継ぎ３２、継ぎ３３などと呼ばれる連結材で連結してこれをカウンター３０００の骨格とし、これの前面にはパネル３５や巾木３７を、また上面には天板４０が取り付けられている。また下方には、店員がカウンター内から使うステージと呼ばれる棚板３４が取り付けられる。この様にして部品の共通化により、少ない部品点数でカウンターが組み立てられるようになっている。
【先行技術文献】
【特許文献】
【０００７】
【特許文献１】実開平３−１２７５５８号公報
【発明の概要】
【発明が解決しようとする課題】
【０００８】
ただこのようなノックダウン方式でも、コーナー部分は部品化しにくく、そのために、このコーナー部分だけは、組み立てられたコーナーユニットを搬入して用いており、部品から組み立てることはしていない。
【０００９】
このコーナーのカウンターユニットだけが組み立てた状態で出荷されるのは、具体的には以下の事情である。つまり組み立ての際に、コーナーでない他の部分は、図１６に示した様に、平面状のパネル３５を左右の支柱に取り付けるだけで良く、支柱１０前面に設けられている係止用のスリット１１（図１７ｂ参照）に、パネル３５の左右端の上下に設けたブラケット５０を係止させるだけでよい。
【００１０】
しかしコーナー部分の場合は、図１８〜１９に示したように、２つの枠材１００，１００は直交する角度関係にあり、よって支柱１０の前面も直交する状態となっている。そのため仮に、図１９に示す様にアール状のパネル１３５を形成し、これを取り付け面が直交しあう上記２本の支柱１０，１０に取り付けようとすると、アール状パネル１３５の左右端のブラケット１５０，１５０同士は、その差し込み方向が直交することとなってしまい、実際には差し込むことができないのである。また、図１６の様な平面パネル３５は左右の２本の支柱１０，１０で支持できるが、図１９の様なアール状パネル１３５は、左右の支柱１０，１０から前方に突出した状態となるために、この左右の支柱１０，１０だけで支持するのに無理がある。従って、平面パネル３５と同様の手法と、同様の支柱を用いてノックダウンするのには無理がある。
【００１１】
この様なアール状パネル１３５の取り付けの問題は、その下方に取り付ける巾木パネルにも言えるのである。即ち、巾木パネルは、その横細な巾木パネルをアールにして左右の支柱に取り付けることになるが、巾木パネルは上下巾がないので突き出た部分が垂れ気味になってしまうなどの不具合がある。
【００１２】
この他にも、アールのカウンターユニットは、ネジの多さやその形状からして組み立てに手間がかかるのであり、その為に、このコーナーのユニットだけはノックダウンにせず、出荷前に溶接により組み立てられているのである。
【００１３】
ただ、ノックダウン方式の場合、このコーナーだけがノックダウン方式が実現できないこととなり、ノックダウンを採用した目的と効果が薄れるなどして不都合であり、また作業の不揃いなどの点でも不都合である。
【００１４】
以上の問題を鑑み、本願発明の目的とするところは、コーナー部分の組み立てが容易なカウンターを提供することにある。
【課題を解決するための手段】
【００１５】
以上の課題を解決する為に、本願請求項１記載のカウンターの発明は、カウンターのコーナー部分の前面が、アール面に形成されたパネルで覆われたカウンターにおいて、前記パネルが、縦分割された部分パネルで構成されると共に、前記部分パネルの左右端に設けられたブラケットが、前記アール面の両端に立設された第一支柱と前記部分パネル同士の合わせ位置に立設された第二支柱とに係止させたことを特徴とする。
これにより例えばコーナーであっても、部分パネルを固定させる２本の第一支柱は、取り付け面が直角な角度関係となるのではなく４５度程度の角度関係となる。従って部分パネルの左右端のブラケット同士も４５度の角度関係となり、この角度関係であれば左右端のブラケットを２本の支柱に差し込んで係止させる作業が実現可能なのである。
またアール面のパネルも、部分パネルに分割することにより、部品の小型化が図れ、特に分割しなかった場合のアール面パネルであれば立体的な形状であったはずのものが、分割することにより平板に近い部分パネルにすることができるので、部品状態での在庫の際にはスペースの抑制が可能となる。
【００１６】
請求項２記載の発明は、請求項１記載の発明において、第一支柱と第二支柱との各上下端には水平部材が取り付けられてコ字型の第一枠材と第二枠材とを形成すると共に、２つの第一枠材に掛け渡したクロス材で、第二枠材を支持したことを特徴とする。
第一枠材には従来からの共通部品であったコ字型の枠材をそのまま用いるのであるが、この第一枠材は第二枠材としても用いることができ、つまり従来からの枠材をそのまま流用することができるので、この点において部品点数の増大を抑制でき、既存の部品の活用が図れる。
【発明の効果】
【００１７】
以上述べたように、本願発明によれば、より一層の部品化が可能になり、ノックダウンの効用も一層高まる。またコーナーはパネルの取り外しが容易に行える様になるので、コーナー部分の活用などが図れる。またノックダウンの際には、従来の部品の活用もでき、新規部品の投入を少なくすることができる
【発明を実施するための形態】
【００１８】
まず、本発明の参考例の説明をする。
（参考例）：この参考例はコンビニに設置されるカウンター１０００であり、請求項１〜２に係る実施例である。図１はこの参考例のカウンター１０００の一部を、平面図的に透視した図として示してある。このカウンター１０００は、従業員が客と対面する為の客側に向けた正面カウンター１と、従業員の後ろに位置させて壁Ｈにくっつけて設置するバックカウンター２とを、側部カウンター３で繋いでおり、またその際にできるコーナー部分には、アールカウンター４Ａと直角カウンター５が用いられている。またこれら各カウンター１，３に上にまたがって天板４０が載せられている。
【００１９】
正面カウンター１、バックカウンター２、側部カウンター３は従来技術で示した図１６と同様の組み立て方がしてあり、つまり、支柱１０に水平部材２０を取り付けたコ字型の枠材１００，１００同士を上継ぎ３１、下継ぎ３２、継ぎ３３等で繋ぎ、更に枠材１００，１００同士に掛け渡すステージと呼ばれる棚板３４でも繋がれ、これにパネル３５、図示しない天板などを組み付けてある。
【００２０】
枠材１００は、従来技術の説明で用いた図１７に示す枠材１００と同じものである。つまり角パイプによる支柱１０と、この支柱１０の上下端にて水平部材２０が片側に延びる状態に取り付けられて、コ字型が形成されている。枠材１００は、支柱１０がカウンター１０００の前面側となる様な配置となり、支柱１０の前面側には、図１７(b)に示すような縦スリット１１が縦２列で支柱１０の上下の全体に設けられており、ここにパネル３５を取り付けて固定するようになっている。
支柱１０の下端側に取り付けられた水平部材２０ａには脚部２１が取り付けられ、支柱１０下端の脚部１２と共に床に載置される。またこの下端側の水平部材２０ａは棚板３４の載置場所にもなっている。支柱１０の上端側に取り付けられた水平部材２０ｂは天板４０の取り付ける箇所となっている。
【００２１】
上継ぎ３１、下継ぎ３２、継ぎ３３等で繋がれた２つの枠材１００，１００は、その前面にプラダン３６がはめられ、その前面には平板状のパネル３５が取り付けられており、具体的には、パネル３５左右端には上下２箇所にブラケット５０，５０が溶接されていて、このブラケット５０を支柱１０前面のスリット１１に差し込んで取り付けるのである。
【００２２】
またコーナー部分Ａは、正面カウンター１と側部カウンター３との端の枠材１００ａ，１００ｂが、直交して隣接する部分である。この直交部分には図２に示すＬ字パネル２００が配置され、このＬ字の直角部分に２つの枠材１００ａ，１００ｂをネジ止めして、従来技術で示した図１８と同様な直角な枠組み３００を形成させてある。アールカウンター４の部分はこの様にして、図１に示されている様な直角な枠組み３００に形成された２つの枠材，１００ａ，１００ｂと、これら枠材１００ａ，１００ｂの前面側に位置する支柱１０にブラケット５０を介して連結される前面ユニット４００により構成されている。
【００２３】
前面ユニット４００は、図３〜５に示す様に、天板などの荷重を支える２本の支柱４１０，４１０と、外周がアールに形成されて支柱４１０の上下に水平に支持される半月状のプレート４２０と、プレート４２０のアール部分に沿って取り付けられるパネル４３５とを主な構成としている。パネル４３５はアール面に屈曲されたものであり、その両端にはアールの内方側に直角屈曲された縁部４４０が形成されており、この縁部４４０の上下には２つのブラケット４５０，４５０がネジで、着脱可能に取り付けられるものである。そのほかに、パネルの下方には巾木４３６が取り付けられている。
【００２４】
この前面ユニットの用い方は以下のようになる。
まず正面カウンター１あるいは側部カウンター３などのいずれかを組み立てておくのである。例えば正面カウンターを先に組み立てたらそのカウンター端部に枠材１００ａが露出した状態であり、この枠材１００ａにもう一つの枠材１００ｂを直角に組み合わせて、コーナー部分の枠組み３００を作るのである。この枠組み３００には、２つの枠材１００ａ，１００ｂが直交して角を構成する箇所にＬ字パネル２００を介在させ、これら２つの枠材１００ａ，１００ｂによる直角な枠組み３００を作るのである。
【００２５】
次に、この枠組み３００の各支柱１０には、それらの前面に設けられている多数のスリット１１の中から、所定高さのスリット１１を選び、前面ユニット４００から外された状態のブラケット４５０を、図６に示すように差し込んでおく。このブラケット４５０にはネジ穴４５１が設けられているが、従ってブラケット４５０の取り付け高さ位置は、ブラケット４５０側のネジ穴４５１が、前面ユニット４００のパネル両端に設けられた図示しないネジ穴の高さと一致する様なスリット１１が選ばれるのである。
【００２６】
この様にしてブラケット４５０を取り付けたら、枠組み３００に前面ユニット４００の本体を取り付けるのであり、取り付けられた時の様子と各部材同士の関係は、各々図７〜８に示したような状態である。即ち、前面ユニット４００を２つの枠材１００ａ，１００ｂの間に掛け渡す様に配置させ、前面ユニットの両側のネジ穴を、ブラケット４５０側のネジ穴４５１に位置合わせをする。概ねの位置合わせができたらブラケット４５０側からネジを差し込み、このネジを、ブラケット４５０の向こう側に位置する前面ユニット４００側のネジ穴に螺号させるのである。この様な取り付け作業を、例えば正面カウンター１側の枠材１００ａに対して行ったら、次にもう一方の枠材１００ｂへの取り付けを、そのブラケット４５０を介して行うのである。枠材１００ａ，１００ｂには、図８に示されている様に、仕切パネル１０１が填められる。
この場合、もう一方の枠材は側部カウンターの骨組みであるが、側部カウンター３はまだ組み立ててない状態であれば、前面ユニット４００のネジ穴との位置合わせが容易に行うことができる。この様にして両方の枠材１００ａ，１００ｂに前面ユニット４００を取り付けたら、またカウンターの組み立ててない側の枠材を用いて、組み立て作業を継続するのであり、この例であれば、側部カウンターの組み立てを継続することとなる。
【００２７】
（実施例１）： この実施例もコンビニに設置されるカウンター２０００であり、請求項１〜２に係る実施例である。カウンター全体の構成は参考例と同様であり、即ち、図９に示したように、正面カウンター１、バックカウンター２、側部カウンター３などが組み合わさっており、更に、これら３つのカウンター１，２，３を接続しているコーナー部分Ａとしてのアールカウンター４Ｂ及び角カウンター５とから構成されている点も同様である。
【００２８】
これらカウンター１，２，３，５の組み立て方も、参考例と同様である。ただアールカウンター４Ｂの部分だけが参考例とは異なっており、以下の様になっている。
【００２９】
この実施例１のアールカウンター４Ｂの部分は、図１０〜１１に示すような、直角な枠組み３００に形成された２つの第一枠材６００，６００と、これら第一枠材６００，６００の上下の水平部材２０に掛け渡される上下２本のクロス材５００と、第二枠材７００とが骨組みとして組まれている。
ここで第一枠材６００は、角パイプによる第一支柱１０ｘと上下端に取り付けられた２本の水平部材２０，２０でコ字型をなし、第二枠材７００も第二支柱１０ｙと上下端に取り付けられた２本の水平部材２０，２０でコ字型をなしている。第二枠材７００は第一枠材６００と同じ構造の枠材であって、この第一枠材６００に掛け渡されたクロス材５００に、第二枠材７００の水平部材２０を支持させ、これにより第一部材６００と第二枠材７００とが一組の枠組み３００’として組まれている。クロス材５００は第一枠材に掛け渡されるクロス本体５１０と第一枠材６００に取り付ける為のネジ穴の空いた端末板５２０と、第二枠材７００の水平部材２０を収納して支持する収納部５３０が設けられている。なお、第一枠材６００と第二枠材７００は、実施例１で用いた枠材１００と同じものである。
【００３０】
またアールカウンター４Ａの前面には２枚の部分パネル８００，８００を取り付けられ、これによりコーナーの前面パネルを構成するようになっている。この部分パネル８００は、その１つが図１３に示すように、その片半Ｐが緩くアールに成ったものであり、この部分パネルの両端には上下にブラケット８５０が取り付けられていて、第一支柱１０ｘと第二支柱１０ｙのスリットに差し込まれるようになっている。もう一つの部分パネル８００も概ねこれに倣った形状のものを対称に形成したものである。
【００３１】
さらに巾木もパネルと同じ分割位置で縦分割されていて、２つの部分巾木パネル９００，９００に成っており、その１つが、図１４に示してある。
【００３２】
以上の部品の組み立て方は以下のようになる。
まず正面カウンター１と側部カウンター３との端となる図１７の枠材１００を、本実施例の第一枠材６００として２つ準備し、これをＬ字パネル２００に取り付けて直交させた枠組み３００’を作る。なお先にこの枠組を作るのか、或いは正面カウンター１を先に組み立ててその端の第一枠材６００にもう１つの第一枠材６００を直交させて枠組み３００’を作るか等の手順は自由に決めてよい。
【００３３】
この様にして枠組み３００’が作られたら、２本のクロス材５００，５００を、２つの第一枠材６００，６００の上下の水平部材２０，２０にそれぞれ掛け渡してネジ止めする事により強固な枠組み３００’が完成する。この様にして第一枠材６００，６００同士が組み合わせた枠組み３００’ができると、次に、これら２つの第一枠材６００，６００の間の所定位置に第二枠材７００を差し入れ、クロス材５００中央の収納部５３０に第二枠材７００の水平部材２０を収納させてネジ止めする。
次に、第一枠材６００の前面の第一支柱１０ｘと第二支柱１０ｙとに、２枚の部分巾木パネル９００，９００を取り付ける。最後に、２枚の部分パネル９００，９００を順次取り付け、アールカウンター４Ａは天板の取り付け作業をの除いて完成するのである。後はアールカウンター４Ａに隣接する正面カウンター１や側部カウンター３の組み立てを待って、これらを覆う天板４０を上面に取り付け、カウンターが完成するのである。
【００３４】
またこの様な取り付けの後、通常の使用状態にはいてからも、コーナー部分Ａは正面から部分パネル８００を外す事ができる。つまり、取り付けられている部分パネル８００を下から持ち上げることにより、支柱１０ｘ，１０ｙのスリットから外す事ができ、これにより、カウンターはそのコーナー部分Ａが前面から開けることができるのである。
【００３５】
これにより、電気コードの取り回し作業などが容易になった。つまりカウンターの内部には、カウンターに設置されるレジや飲料・食品の保温ケース、冷却ケースその他の為に多数の電気コード類が敷設されており、これら電気コードの追加・撤去などは適宜必要に応じて成されるのである。しかしこのコーナー部分は、その奥まった構造上、これら電気コード類の取り回し作業が困難な箇所であった。しかし、前面のパネルの取り外しが前面側から行えるようになった為に、この様な取り回し作業も容易になるのである。
あるいは、このコーナー部分は、出し入れ頻度の少ない物であれば、その収納に使うことも可能となる。
【図面の簡単な説明】
【００３６】
【図１】この図は、参考例に示すカウンターの一部を説明する図であり、平面図的な方向から枠材などの骨組みを透視させてある。
【図２】この図は、カウンターのコーナー部分に用いるＬ字パネルの図である。
【図３】この図は、正面ユニットの図である。
【図４】この図も、正面ユニットの図である。
【図５】この図も、正面ユニットの図である。
【図６】この図は、枠材の切欠図であり、枠材を構成する支柱を説明している。
【図７】この図は、枠材を組み合わせた枠組みと前面カウンターの関係を説明する図である。
【図８】この図は、枠材と前面ユニットとの組み立て方を説明する図である。
【図９】この図は、実施例１に示すカウンターの一部を説明する図であり、平面図的な方向から枠材などの骨組みを透視させてある。
【図１０】この図は、第一枠材と第二枠材がクロス材によってどの様に組み合わされるかを説明する図である。
【図１１】この図は、アールカウンターを説明する図である。
【図１２】この図は、クロス材を説明する図である。
【図１３】この図は、部分パネルを説明する図である。
【図１４】この図は、巾木パネルを説明する図である。
【図１５】この図は、従来のカウンターの組み立て方を説明する図である。
【図１６】この図は、従来のカウンターを説明の図である。
【図１７】この図は、枠材を説明する図である。
【図１８】この図は、コーナー部分を説明する図である。
【図１９】この図は、コーナー部分とパネルとの関わり方を説明する図である。
【符号の説明】
【００３７】
１０００，２０００ カウンター
１ 正面カウンター
２ バックカウンター
３ 側部カウンター
４Ａ，４Ｂ アールカウンター
５ 直角カウンター
１０，１０ｘ，１０ｙ 支柱
１１ スリット
２０，２０ａ，２０ｂ 水平部材
３１ 上継ぎ
３２ 下継ぎ
３３ 継ぎ
３４ 棚板
３５  パネル
４０ 天板
５０ ブラケット
１００，１００ａ，１００ｂ 枠材
６００ 枠材による第一枠材
７００ 枠材による第二枠材
２００ Ｌ字パネル
３００，３００’枠組み
４００ 前面ユニット
４３５ パネル
４３６ 巾木
４４０ 縁部
４５０ ブラケット
５００ クロス材
５２０ 端末板
５３０ 収納部
８００ 部分パネル
９００ 部分巾木パネル
【図１】
2010179124.tif 000003
【図２】
2010179124.tif 000004
【図３】
2010179124.tif 000005
【図４】
2010179124.tif 000006
【図５】
2010179124.tif 000007
【図６】
2010179124.tif 000008
【図７】
2010179124.tif 000009
【図８】
2010179124.tif 000010
【図９】
2010179124.tif 000011
【図１０】
2010179124.tif 000012
【図１１】
2010179124.tif 000013
【図１２】
2010179124.tif 000014
【図１３】
2010179124.tif 000015
【図１４】
2010179124.tif 000016
【図１５】
2010179124.tif 000017
【図１６】
2010179124.tif 000018
【図１７】
2010179124.tif 000019
【図１８】
2010179124.tif 000020
【図１９】
2010179124.tif 000021